(57)【特許請求の範囲】
【請求項１】
砕石、砂礫、土砂を通さない程度に網目が小さい合成樹脂製の網から成る柔軟性袋体に前記砕石、砂礫、土砂の１種又は２種以上から成る中詰材が詰められており、前記柔軟性袋体は剛性のある鋼製篭枠体内の高さ方向に複数段積み重ねて収納されていると共に、上段の袋体は砂を通さない程度に網目が小さく、細粒の中詰材が詰められており、下段の袋体の網目は粗く、粗粒の中詰材が詰められており、前記構成の鋼製篭枠体が多数連続して、又は不連続的に汀線の砂浜に汀線と直交する配置で埋設されていることを特徴とする、海浜の安定化構造。
【発明の詳細な説明】
【０００１】
【発明の属する技術分野】
この発明は、海浜の汀線付近の砂浜の波浪による侵食を防ぐと共に、砂の堆積を促進するため実施される海浜の安定化構造に関する。
【０００２】
【従来の技術】
海浜の汀線付近の砂浜の安定化を図る技術はこれまでにも種々研究開発されている。
例えば特開昭６４−８０６１２号公報には、砂浜の下層に磁石を敷き込み、その上に磁性体を含む砂状粗粒子を積層した人工海浜が開示されている。
【０００３】
実開平２−６７２５号公報には、砂浜の下層に排水構造を形成し、その上に人工芝を敷設し、人工芝の上に砂を積層した人工砂浜が開示されている。
更に、特開平６−２００５０８号公報には、砂浜の下層に多孔質材料による排水層を設置し、前記排水層の上に砂を積層した砂浜の安定化方法が開示されている。
【０００４】
先に出願した特願平６−１８８２６号明細書及び図面には、砂浜の下層に、一例として鋼製枠の中に石材を詰め外周面にフィルター材を張設したドレン構造体を多数敷き詰めた構成の海浜安定化構造が記載されている。
【０００５】
【本発明が解決しようとする課題】
従来の上述した各技術は、それなりに有益な作用効果を奏している。しかし、例えば特願平６−１８８２６号明細書及び図面中の特に図６と図７に記載されたドレン構造体は、鋼材を使用した柱部材で上部枠材と下部枠材を連結して直方体形状の鋼製枠本体を形成すると共に、その外周面にエキスパンドメタルを張って箱篭構造とし、さらにその外面に砂の侵入を阻止する網目の帆布のようなフィルター材を張設した構成とし、中詰材として石材が詰められている。また、同図１０と図１１に記載されたドレン構造体は、角形鋼管を２本平行に並べるか又は四隅にコンクリートブロックを配置してその上下両面にフィルター部材を張り、更にその外面にエキスパンドメタルを張設して直方体形状の箱篭構造に形成している。
【０００６】
本発明の目的は、前記ドレン構造体を改良することである。
本発明の更なる目的は、中詰材として単粒度砕石、あるいは単粒度砕石を調合した混合砕石、更には現地発生の土砂、砂礫を中詰材として適宜使い分けることができ、合成樹脂製の網から成る柔軟性袋体に前記の中詰材を詰めて鋼製篭枠体と組合せることにより、敷設作業の施工性が向上して工期の短縮を図れ、しかも現地の波浪及び砕石や土砂の粒度に合せてこれらに適した中詰材の形成が容易な海浜の安定化構造を提供することにある。
【０００７】
【課題を解決するための手段】
上述した課題を解決するための手段として、請求項１の発明に係る海浜の安定化構造は、砕石、砂礫、土砂を通さない程度に網目が小さい合成樹脂製の網から成る柔軟性袋体に前記砕石、砂礫、土砂の１種又は２種以上から成る中詰材が詰められており、前記柔軟性袋体は剛性のある鋼製篭枠体内の高さ方向に複数段積み重ねて収納されていると共に、上段の袋体は砂を通さない程度に網目が小さく、細粒の中詰材が詰められており、下段の袋体の網目は粗く、粗粒の中詰材が詰められており、前記構成の鋼製篭枠体が多数連続して、又は不連続的に汀線の砂浜に汀線と直交する配置で埋設されていることを特徴とする。
【０００９】
【発明の実施の形態】
本発明は、砕石、砂礫、土砂を通さない程度に網目が小さい合成樹脂製の網から成る柔軟性袋体に前記砕石、砂礫、土砂の１種又は２種以上から成る中詰材を詰めて敷設現場へ運搬し、現地で剛性のある鋼製篭枠体内の高さ方向に複数段積み重ねて収納させ敷設する。砕石は採石現場で、また、現地発生土砂は現地でそれぞれ袋体への中詰め作業を行う。但し、中詰材を詰めた柔軟性袋体を予め鋼製篭枠体へ収納させた上で敷設現場へ運搬することも実施される。
【００１０】
なお、柔軟性袋体は、施工現場に要求される透水性能、及び入手される中詰材の粒度に応じてその網目の大きさを決定し、上段の袋体は砂を通さない程度に網目が小さくし、細粒の中詰材を詰め、下段の袋体の網目は粗くし、粗粒の中詰材を詰めて使用する。鋼製篭枠体としては、たて、よこ、高さが２００cm×５００cm×１５０cmぐらいの大きさの所謂鉄筋篭が好適に使用されるが、形状保持に必要な強度、剛性を発現するかぎり、素材の種類、構造の如何を問わない。
【００１１】
【実施例】
次に、図示した本発明の実施例を説明する。
まず図１は海浜の汀線付近の砂浜の安定化処理に使用する鋼製篭枠体として用いる鉄筋篭１と、これに収納するべく中詰材２の充填を行った柔軟な合成樹脂製（ジオテキスタイル製）の袋体３との関係構造を示している。鉄筋篭１及び袋体３の大きさは、各々の運搬及び敷設作業を行い易いように２００cm×５００cm×１５０cmぐらいとされている。鉄筋篭１は、図２に展開図を示したように、蓋を含む６面の鉄筋網の各連結辺をコイル４で屈曲自在に連結した展開状態又は折り畳み状態で、敷設現場へ高効率に運搬される。敷設現場では、予め中詰材２を中詰めして運搬してきた前記袋体３を、鉄筋篭１の底面となる鉄筋網上へ置き、しかる後に残る５面の組立て、連結を行い、更に上面の蓋をして鉄筋篭１を完成する。但し、予め鉄筋篭１の組立てを完成しておいて、これに袋体３を吊り込んで収納させ、上面の蓋をする手順も適宜実施される。
【００１２】
上記の場合、１個の鉄筋篭の中に略同形、同大の袋体３を上下２段に収納させると共に、上段の袋体は砂粒を通さない程度に網目が小さいものを使用して土砂の如く細粒の中詰材を詰めたものとし、下段の袋体には網目が粗いものを使用し、前記網目の粗さに応じて粗粒の砕石等を中詰材として詰めた構成で実施する。
【００１３】
中詰め作業は、前記袋体３に採石場などで砕石の中詰め作業を行い、敷設現場へ運搬する場合のほか、敷設現場において、現地発生の土砂を中詰めして使用することも行なわれる。
上記の袋体３を収納した鉄筋篭１は、図３に示したように、汀線の砂浜に、汀線と直交する配置で多数連続して、又は不連続的に埋設される。好ましくは同鉄筋篭１の高さ寸法ぐらいを砂浜中に埋める形で、しかも各鉄筋篭の上面が平坦面を形成するように規則的な配置で敷き詰める。敷設した鉄筋篭の位置を固定するため、アンカー５を施すことも行なう。かくして敷き詰めた鉄筋篭の上面には、砂浜を形成するように砂６が積層される。
【００１４】
【第２の実施例】
図４は、鉄筋棒の溶接組立てにより製作した鋼製篭枠体１の中へ、まず金網篭７を収納せしめ、さらに金網篭７の中へジオテキスタイル製の柔軟性袋体３に中詰材を詰めたものを収納せしめた構成で海浜の安定化処理を行なう実施例を示している。柔軟性袋体３の中には、その網目の大きさに応じて、砕石、砂礫、土砂の１種又は２種以上から成る中詰材が詰められている。金網篭７は、目の粗い箱枠構造の鋼製篭枠体１の隙間から柔軟性袋体３がはらみ出さないようにする目的で使用される。従って、金網篭７を使用する代わりに、鋼製篭枠体１の内側面に同様な金網を張った構成で実施することもできる。
【００１５】
【本発明が奏する効果】
本発明によれば、単粒度砕石あるいは単粒度砕石を調合した混合砕石、砂礫、又は現地発生土砂の１種又は２種以上の混合物を中詰材として使用することができる。中詰材は、前述の砕石、砂礫、土砂を通さない程度に網目が小さい合成樹脂製の網から成る柔軟性袋体に詰めて、同袋体を剛性のある鋼製篭枠体内に収納せしめて施工するから構造的安定性がある。中詰め作業を採石場等で行い、中詰めされた袋体はそのまま敷設現場へ運搬し、鋼製篭枠体内へ収納せしめて敷設することにより砂浜の下に透水層が形成されるから、施工性が大幅に向上する。即ち、鋼製篭枠体は強度、剛性があるため、敷設面積の大きなものを製作でき、その分汀線付近における施工性が向上し、工期短縮につながる。鋼製篭枠体によって柔軟性袋体の変形を抑制でき、敷設精度がよいし、柔軟性袋体と鋼製篭枠体との一体化を図り易い。袋体の網目の大きさを変えることにより、敷設現場に適した性能の透水層を形成でき至便である。その上、鋼製篭枠体内の袋体を上下方向に複数個設置し、例えば上段の袋体の網目を小さくし、下段の網目を粗くして、各々に粒度が大小に異なる細粒、粗粒の中詰材を中詰めするので、敷設現場に適した透水層を構築できる。
【図面の簡単な説明】
【図１】鋼製篭枠体と柔軟性袋体とを分離して示した斜視図である。
【図２】鋼製篭枠体を展開した斜視図である。
【図３】砂浜への敷設状態を示した断面図である。
【図４】本発明の第２実施例を分解状態で示した斜視図である。
【符号の説明】
１    鋼製篭枠体
２    透水材
３    袋体
【図１】
0003639864.tif 000002
【図２】
0003639864.tif 000003
【図３】
0003639864.tif 000004
【図４】
0003639864.tif 000005